(57)【特許請求の範囲】
【請求項１】
ユーザによって操作可能な情報機器に挿入されるものであって、データを記憶するメモリ機能と共に、広域無線通信網に接続する通信機能とを有する通信メディアカードと、
インターネットに接続するサービスサーバと、
前記広域無線通信網及び前記インターネットの間でデータを中継するべく蓄積する中継サーバと
を有するシステムにおけるサービスアクセス方法であって、
前記中継サーバは、前記通信メディアカードにおける前記広域無線通信網で用いられる物理アドレスと、前記広域無線通信網における契約ユーザ識別子と、前記インターネットで用いられるＩＰ(Internet Protocol)アドレスと、前記サービスサーバにおけるサービスユーザ識別子を含むサービスユーザ認証情報とを対応付けて記憶した参照情報記憶部を有し、
前記中継サーバは、前記物理アドレス毎に対応するアップロードフォルダを有し、
前記サービスサーバは、前記サービスユーザ認証情報毎に対応するアップロードディレクトリを有し、
前記通信メディアカードが、物理アドレスを含むネットワーク設定要求を、前記中継サーバへ送信する第１のステップと、
前記中継サーバが、前記参照情報記憶部を用いて、前記物理アドレスに対応するＩＰアドレスを、前記通信メディアカードに割り当てる第２のステップと、
前記通信メディアカードが、当該メモリ機能にデータが新たに蓄積された際に、当該データを、前記ＩＰアドレスを送信元として含むパケットとして、前記中継サーバへ送信する第３のステップと、
前記中継サーバが、前記参照情報記憶部を用いて、前記パケットに含まれる送信元のＩＰアドレスに基づく前記物理アドレスを検索し、前記物理アドレスに対応する前記アップロードフォルダに前記データを新たに蓄積すると共に、前記物理アドレスに対応する前記サービスユーザ認証情報を検索する第４のステップと、
前記中継サーバが、前記アップロードフォルダに新たに蓄積された前記データのパケットを、前記サービスユーザ認証情報に対応する前記サービスサーバのアップロードディレクトリに向けて送信する第５のステップと
を有し、ユーザによって前記通信メディアカードに対してサービス認証情報が入力されることなく、前記通信メディアカードの前記メモリ機能に蓄積されたデータと、前記サービスサーバの前記アップロードディレクトリに蓄積されるデータとを、前記中継サーバを介して同期させることを特徴とするサービスアクセス方法。
【請求項２】
前記広域通信網は、ＷｉＭＡＸ(Worldwide Interoperability for Microwave Access)網又はＬＴＥ(Long Term Evolution)網からなり、
前記通信メディアカードは、前記情報機器に対して挿脱可能なＳＤ(Secure Digital memory)カードであって、固有の物理アドレスとしてのＭＡＣ(Media Access Control)アドレスを有し、
前記情報機器は、カメラであり、
前記サービスサーバは、オンラインフォトサービスサーバである
ことを特徴とする請求項１に記載のサービスアクセス方法。
【請求項３】
ユーザによって操作可能な情報機器に挿入されるものであって、データを記憶するメモリ機能と共に、広域無線通信網に接続する通信機能とを有する通信メディアカードと、
インターネットに接続するサービスサーバと、
前記広域無線通信網及び前記インターネットの間でデータを中継するべく蓄積する中継サーバと
を有するシステムにおけるサービスアクセス方法であって、
前記中継サーバは、前記通信メディアカードにおける前記広域無線通信網で用いられる物理アドレスと、前記広域無線通信網における契約ユーザ識別子と、前記インターネットで用いられるＩＰアドレスと、前記サービスサーバにおけるサービスユーザ識別子を含むサービスユーザ認証情報とを対応付けて記憶した参照情報記憶部を有し、
前記中継サーバは、前記物理アドレス毎に対応するダウンロードフォルダを有し、
前記サービスサーバは、前記サービスユーザ認証情報毎に対応するダウンロードディレクトリを有し、
前記サービスサーバが、前記ダウンロードディレクトリにデータが新たに蓄積された際に、前記データのパケットを、当該ダウンロードディレクトリの前記サービスユーザ認証情報に対応する前記中継サーバのダウンロードフォルダに向けて、前記サービスユーザ識別子を含めて送信する第１のステップと、
前記中継サーバが、前記参照情報記憶部を用いて、前記パケットに含まれる前記サービスユーザ識別子に対応する物理アドレスを検索し、前記物理アドレスに対応する前記ダウンロードフォルダに前記データを新たに蓄積すると共に、前記物理アドレスに対応する前記ＩＰアドレスを検索する第２のステップと、
前記中継サーバが、前記物理アドレスに対応するＩＰアドレスを宛先として含むネットワーク設定通知を、前記通信メディアカードへ向けて送信する第３のステップと、
前記中継サーバが、前記ダウンロードフォルダに新たに蓄積された前記データのパケットを、前記ＩＰアドレスを宛先として、前記通信メディアカードへ向けて送信する第４のステップと
を有し、ユーザによって前記通信メディアカードに対してサービス認証情報が入力されることなく、前記サービスサーバの前記ダウンロードディレクトリに蓄積されたデータと、前記通信メディアカードの前記メモリ機能に蓄積されるデータとを、前記中継サーバを介して同期させることを特徴とするサービスアクセス方法。
【請求項４】
前記広域通信網は、ＷｉＭＡＸ網又はＬＴＥ網からなり、
前記通信メディアカードは、前記情報機器に対して挿脱可能なＳＤカードであって、固有の物理アドレスとしてのＭＡＣアドレスを有し、
前記情報機器は、フォトフレームであり、
前記サービスサーバは、オンラインフォトサービスサーバである
ことを特徴とする請求項３に記載のサービスアクセス方法。
【請求項５】
前記参照情報記憶部の参照情報は、各物理アドレスに対応付けて、前記通信メディアカードのメモリ機能の空き容量と、前記中継サーバのフォルダの空き容量とに関するステータス情報を更に含み、
前記中継サーバは、前記ステータス情報によって、受信したデータのパケットを前記フォルダに蓄積できないか又は前記通信メディアカードへ転送できないと判定した際に、前記ステータス情報を含む応答メッセージを前記サービスサーバへ返信する
ことを特徴とする請求項３又は４に記載のサービスアクセス方法。
【請求項６】
ユーザによって操作可能な情報機器に挿入されるものであって、データを記憶するメモリ機能と共に、広域無線通信網に接続する通信機能とを有する通信メディアカードと、
インターネットに接続するサービスサーバと
の間で、データを中継するべく蓄積する中継サーバであって、
前記通信メディアカードにおける前記広域無線通信網で用いられる物理アドレスと、前記広域無線通信網における契約ユーザ識別子と、前記インターネットで用いられるＩＰアドレスと、前記サービスサーバにおけるサービスユーザ識別子を含むサービスユーザ認証情報とを対応付けて記憶した参照情報記憶手段と、
前記物理アドレス毎に対応するアップロードフォルダと、
前記通信メディアカードから、物理アドレスを含むネットワーク設定要求を受信し、前記参照情報記憶部を用いて、前記物理アドレスに対応するＩＰアドレスを、前記通信メディアカードに割り当てるネットワーク設定手段と、
前記通信メディアカードからパケットを受信した際に、前記参照情報記憶手段を用いて、前記パケットに含まれる送信元のＩＰアドレスに基づく前記物理アドレスを検索し、前記物理アドレスに対応する前記アップロードフォルダに前記データを新たに蓄積すると共に、前記物理アドレスに対応する前記サービスユーザ認証情報を検索する参照情報検索手段と、
前記アップロードフォルダに新たに蓄積された前記データのパケットを、前記サービスサーバにおける前記サービスユーザ認証情報に対応するアップロードディレクトリに向けて送信するデータアップロード手段と
を有し、前記通信メディアカードからユーザによって入力されたサービス認証情報を受信することなく、前記通信メディアカードの前記メモリ機能に蓄積されたデータと、前記サービスサーバの前記アップロードディレクトリに蓄積されるデータとを同期させることを特徴とする中継サーバ。
【請求項７】
請求項６に記載の前記中継サーバと、
前記中継サーバと広域無線通信網を介して通信する情報機器の通信メディアカードと、
前記中継サーバと前記インターネットを介して通信するサービスサーバと
を有するサービスアクセスシステムであって、
前記広域通信網は、ＷｉＭＡＸ網又はＬＴＥ網からなり、
前記通信メディアカードは、前記情報機器に対して挿脱可能なＳＤカードであって、固有の物理アドレスとしてのＭＡＣアドレスを有し、
前記情報機器は、カメラであり、
前記サービスサーバは、オンラインフォトサービスサーバである
ことを特徴とするサービスアクセスシステム。
【請求項８】
ユーザによって操作可能な情報機器に挿入されるものであって、データを記憶するメモリ機能と共に、広域無線通信網に接続する通信機能とを有する通信メディアカードと、
インターネットに接続するサービスサーバと
の間で、データを中継するべく蓄積する中継サーバであって、
前記通信メディアカードにおける前記広域無線通信網で用いられる物理アドレスと、前記広域無線通信網における契約ユーザ識別子と、前記インターネットで用いられるＩＰアドレスと、前記サービスサーバにおけるサービスユーザ識別子を含むサービスユーザ認証情報とを対応付けて記憶した参照情報記憶手段と、
前記物理アドレス毎に対応するダウンロードフォルダと、
前記サービスサーバから、サービスユーザ識別子を含むパケットを受信した際に、前記参照情報記憶手段を用いて、前記パケットに含まれる前記サービスユーザ識別子に対応する物理アドレスを検索し、当該物理アドレスに対応する前記ダウンロードフォルダに前記データを新たに蓄積すると共に、前記物理アドレスに対応する前記ＩＰアドレスを検索する参照情報検索手段と、
前記物理アドレスに対応するＩＰアドレスを宛先として含むネットワーク設定通知を、前記通信メディアカードへ向けて送信するネットワーク設定手段と、
前記ダウンロードフォルダに新たに蓄積された前記データのパケットを、前記ＩＰアドレスを宛先として、前記通信メディアカードへ向けて送信するデータダウンロード手段と
を有し、前記通信メディアカードからユーザによって入力されたサービス認証情報を受信することなく、前記サービスサーバの前記ダウンロードディレクトリに蓄積されたデータと、前記通信メディアカードの前記メモリ機能に蓄積されるデータとを同期させることを特徴とする中継サーバ。
【請求項９】
請求項８に記載の前記中継サーバと、
前記中継サーバと広域無線通信網を介して通信する情報機器の通信メディアカードと、
前記中継サーバと前記インターネットを介して通信するサービスサーバと
を有するサービスアクセスシステムであって、
前記広域通信網は、ＷｉＭＡＸ網又はＬＴＥ網からなり、
前記通信メディアカードは、前記情報機器に対して挿脱可能なＳＤカードであって、固有の物理アドレスとしてのＭＡＣアドレスを有し、
前記情報機器は、フォトフレームであり、
前記サービスサーバは、オンラインフォトサービスサーバである
ことを特徴とするサービスアクセスシステム。
【請求項１０】
前記参照情報記憶手段の参照情報は、各物理アドレスに対応付けて、前記通信メディアカードのメモリ機能の空き容量と、前記中継サーバのフォルダの空き容量とに関するステータス情報を更に含み、
前記中継サーバは、前記ステータス情報によって、受信したデータを前記ダウンロードフォルダに蓄積できないか又は前記通信メディアカードへ転送できないと判定した際に、前記ステータス情報を含む応答メッセージを前記サービスサーバへ返信する
ことを特徴とする請求項８又は９に記載のサービスアクセスシステム。
【発明の詳細な説明】
【技術分野】
【０００１】
本発明は、ユーザ操作可能な情報機器から、広域無線通信網及びインターネットを介して、サービスサーバにアクセスする技術に関する。
【背景技術】
【０００２】
ユーザ操作可能な情報機器の多くが、汎用的なメモリカードスロットを備えている。そのメモリカードスロットには、その規格に対応したメモリカードが挿脱可能となる。代表的なメモリカードとして、例えばＳＤ(Secure Digital memory)カードがある。このようなメモリカードには、データを記憶するメモリ機能のみならず、無線通信機能を内蔵したものもある。
【０００３】
近年、デジタルカメラのメモリカードスロットに挿入可能なＳＤカードに、無線ＬＡＮ(Local Area Network)機能や近接無線通信機能を内蔵したものがある（例えば非特許文献１及び特許文献１参照）。このような通信メディアカードを挿入したデジタルカメラには、専用管理メニュー及びアップロードボタンが表示される。デジタルカメラに対するユーザ操作に応じて、その通信メディアカードに記録された写真画像データを、無線ＬＡＮを介して、オンラインフォトサービスサイトへアップロードすることができる。ユーザにとっては、メモリカードを、デジタルカメラから取り出す必要もない。非特許文献１に記載された技術によれば、IEEE 802.11b/g/nの無線ＬＡＮ通信規格に対応し、WEP(40/104/128)及びWPA/WPA2(PSK)のセキュリティ規格にも対応している。
【０００４】
図１は、従来技術におけるシステム構成図である。
【０００５】
図１によれば、デジタルカメラのような情報機器３に、無線ＬＡＮ通信機能を有する通信メディアカード２が挿入されている。通信メディアカード２は、無線ＬＡＮのアクセスポイントや有線ＬＡＮのルータを介して、アクセスネットワークに接続する。アクセスネットワークとインターネットとは相互接続されており、通信メディアカード２は、オンラインフォトサービスサーバのようなサービスサーバ４と通信することができる。デジタルカメラに挿入された通信メディアカード２は、メモリ内に記憶された写真画像データを、サービスサーバ４へアップロードすることができる。また、デジタルフォトフレームのような情報機器３は、ルータを介してインターネットに接続し、サービスサーバ４にアクセスすることによって、そのサービスサーバ４に蓄積された写真画像データをダウンロードすることができる。
【先行技術文献】
【特許文献】
【０００６】
【特許文献１】特開２０１０−０６７０６０号公報
【非特許文献】
【０００７】
【非特許文献１】アイファイジャパン株式会社、「Eye-Fi」、[online]、［平成２２年９月５日検索］、インターネット＜URL:http://www.eyefi.co.jp/＞
【発明の概要】
【発明が解決しようとする課題】
【０００８】
前述した従来技術によれば、通信メディアカードを挿入したデジタルカメラのような情報機器は、無線／有線のＬＡＮに接続する必要がある。しかしながら、情報機器は、無線／有線のＬＡＮに接続可能な位置に常に存在しているとは限らない。これに対して、通信メディアカードが、広域無線通信網（例えばＷｉＭＡＸ網や携帯電話網）に対応した通信機能を備えるものも想定することができる。
【０００９】
また、前述した従来技術によれば、デジタルカメラに挿入された通信メディアカードは、最初に、アクセスネットワークに接続するために、アクセスポイントを介してプロバイダサーバへ、端末ユーザ認証情報を送信し、認証処理を受ける必要がある。正当と認証された通信メディアカードは、更にインターネットを介してサービスサーバにアクセスした後、ログインページを取得する。通信メディアカードは、そのログインページに対するユーザ操作に応じて、サービスユーザ認証情報（一般にＩＤ及びパスワード）をサービスサーバへ送信する。ユーザは、そのサービスサーバに対して、サービスユーザ認証情報を予め登録している必要がある。尚、通信メディアカードにサービスユーザ認証情報を予め記憶させておくことによって、通信メディアカードが、ログインページを取得した際に、サービスユーザ認証情報を自動的に送信するものであってもよい。
【００１０】
このように、デジタルカメラに挿入された通信メディアカードは、サービスサーバへデータをアップロードする毎に、端末ユーザ認証処理と、サービスユーザ認証処理とを実行する必要がある。通信シーケンスの増加は、アクセス所要時間が長くなることにつながる。特に、通信メディアカードが、広域無線通信網に対応する場合、通信事業者設備に対して端末ユーザ認証処理を実行しなければならず、そのアクセス所要時間は、無線ＬＡＮと比較して更に長くならざるを得ない。
【００１１】
また、デジタルフォトフレームのような情報機器は、デジタルカメラによってアップロードされた写真画像データをダウンロードするために、サービスサーバへアクセスする必要がある。このとき、デジタルフォトフレームも、デジタルカメラと同様に、サービスサーバからデータをダウンロードする毎に、端末ユーザ認証処理と、サービスユーザ認証処理とを実行する必要がある。即ち、広域無線通信網を介して、デジタルカメラがサービスサーバへアップロードした写真画像データが、自動的に、デジタルフォトフレームへ転送されるような仕組みは、一般に提供されていない。
【００１２】
そこで、本発明は、情報機器に挿入された通信メディアカードが、広域無線通信網及びインターネットを介してサービスサーバにアクセスする際に、認証処理の負荷を軽減することができるサービスアクセス方法、中継サーバ、通信メディアカード及びシステムを提供することを目的とする。
【課題を解決するための手段】
【００１３】
本願発明によれば、ユーザによって操作可能な情報機器に挿入されるものであって、データを記憶するメモリ機能と共に、広域無線通信網に接続する通信機能とを有する通信メディアカードと、
インターネットに接続するサービスサーバと、
広域無線通信網及びインターネットの間でデータを中継するべく蓄積する中継サーバと
を有するシステムにおけるサービスアクセス方法であって、
中継サーバは、通信メディアカードにおける広域無線通信網で用いられる物理アドレスと、広域無線通信網における契約ユーザ識別子と、インターネットで用いられるＩＰ(Internet Protocol)アドレスと、サービスサーバにおけるサービスユーザ識別子を含むサービスユーザ認証情報とを対応付けて記憶した参照情報記憶部を有し、
中継サーバは、物理アドレス毎に対応するアップロードフォルダを有し、
サービスサーバは、サービスユーザ認証情報毎に対応するアップロードディレクトリを有し、
通信メディアカードが、物理アドレスを含むネットワーク設定要求を、中継サーバへ送信する第１のステップと、
中継サーバが、参照情報記憶部を用いて、物理アドレスに対応するＩＰアドレスを、通信メディアカードに割り当てる第２のステップと、
通信メディアカードが、当該メモリ機能にデータが新たに蓄積された際に、当該データを、ＩＰアドレスを送信元として含むパケットとして、中継サーバへ送信する第３のステップと、
中継サーバが、参照情報記憶部を用いて、パケットに含まれる送信元のＩＰアドレスに基づく物理アドレスを検索し、物理アドレスに対応するアップロードフォルダにデータを新たに蓄積すると共に、物理アドレスに対応するサービスユーザ認証情報を検索する第４のステップと、
中継サーバが、アップロードフォルダに新たに蓄積されたデータのパケットを、サービスユーザ認証情報に対応するサービスサーバのアップロードディレクトリに向けて送信する第５のステップと
を有し、ユーザによって通信メディアカードに対してサービス認証情報が入力されることなく、通信メディアカードのメモリ機能に蓄積されたデータと、サービスサーバのアップロードディレクトリに蓄積されるデータとを、中継サーバを介して同期させることを特徴とする。
【００１４】
本発明のサービスアクセス方法における他の実施形態によれば、
広域通信網は、ＷｉＭＡＸ(Worldwide Interoperability for Microwave Access)網又はＬＴＥ(Long Term Evolution)網からなり、
通信メディアカードは、情報機器に対して挿脱可能なＳＤ(Secure Digital memory)カードであって、固有の物理アドレスとしてのＭＡＣ(Media Access Control)アドレスを有し、
情報機器は、カメラであり、
サービスサーバは、オンラインフォトサービスサーバであることも好ましい。
【００１５】
本発明によれば、ユーザによって操作可能な情報機器に挿入されるものであって、データを記憶するメモリ機能と共に、広域無線通信網に接続する通信機能とを有する通信メディアカードと、
インターネットに接続するサービスサーバと、
広域無線通信網及びインターネットの間でデータを中継するべく蓄積する中継サーバと
を有するシステムにおけるサービスアクセス方法であって、
中継サーバは、通信メディアカードにおける広域無線通信網で用いられる物理アドレスと、広域無線通信網における契約ユーザ識別子と、インターネットで用いられるＩＰアドレスと、サービスサーバにおけるサービスユーザ識別子を含むサービスユーザ認証情報とを対応付けて記憶した参照情報記憶部を有し、
中継サーバは、物理アドレス毎に対応するダウンロードフォルダを有し、
サービスサーバは、サービスユーザ認証情報毎に対応するダウンロードディレクトリを有し、
サービスサーバが、ダウンロードディレクトリにデータが新たに蓄積された際に、データのパケットを、当該ダウンロードディレクトリのサービスユーザ認証情報に対応する中継サーバのダウンロードフォルダに向けて、サービスユーザ識別子を含めて送信する第１のステップと、
中継サーバが、参照情報記憶部を用いて、パケットに含まれるサービスユーザ識別子に対応する物理アドレスを検索し、物理アドレスに対応するダウンロードフォルダにデータを新たに蓄積すると共に、物理アドレスに対応するＩＰアドレスを検索する第２のステップと、
中継サーバが、物理アドレスに対応するＩＰアドレスを宛先として含むネットワーク設定通知を、通信メディアカードへ向けて送信する第３のステップと、
中継サーバが、ダウンロードフォルダに新たに蓄積されたデータのパケットを、ＩＰアドレスを宛先として、通信メディアカードへ向けて送信する第４のステップと
を有し、ユーザによって通信メディアカードに対してサービス認証情報が入力されることなく、サービスサーバのダウンロードディレクトリに蓄積されたデータと、通信メディアカードのメモリ機能に蓄積されるデータとを、中継サーバを介して同期させることを特徴とする。
【００１６】
本発明のサービスアクセス方法における他の実施形態によれば、
広域通信網は、ＷｉＭＡＸ網又はＬＴＥ網からなり、
通信メディアカードは、情報機器に対して挿脱可能なＳＤカードであって、固有の物理アドレスとしてのＭＡＣアドレスを有し、
情報機器は、フォトフレームであり、
サービスサーバは、オンラインフォトサービスサーバであることも好ましい。
【００１７】
本発明のサービスアクセス方法における他の実施形態によれば、
参照情報記憶部の参照情報は、各物理アドレスに対応付けて、通信メディアカードのメモリ機能の空き容量と、中継サーバのフォルダの空き容量とに関するステータス情報を更に含み、
中継サーバは、ステータス情報によって、受信したデータのパケットをフォルダに蓄積できないか又は通信メディアカードへ転送できないと判定した際に、ステータス情報を含む応答メッセージをサービスサーバへ返信することも好ましい。
【００１８】
本発明によれば、ユーザによって操作可能な情報機器に挿入されるものであって、データを記憶するメモリ機能と共に、広域無線通信網に接続する通信機能とを有する通信メディアカードと、
インターネットに接続するサービスサーバと
の間で、データを中継するべく蓄積する中継サーバであって、
通信メディアカードにおける広域無線通信網で用いられる物理アドレスと、広域無線通信網における契約ユーザ識別子と、インターネットで用いられるＩＰアドレスと、サービスサーバにおけるサービスユーザ識別子を含むサービスユーザ認証情報とを対応付けて記憶した参照情報記憶手段と、
物理アドレス毎に対応するアップロードフォルダと、
通信メディアカードから、物理アドレスを含むネットワーク設定要求を受信し、参照情報記憶部を用いて、物理アドレスに対応するＩＰアドレスを、通信メディアカードに割り当てるネットワーク設定手段と、
通信メディアカードからパケットを受信した際に、参照情報記憶手段を用いて、パケットに含まれる送信元のＩＰアドレスに基づく物理アドレスを検索し、物理アドレスに対応するアップロードフォルダにデータを新たに蓄積すると共に、物理アドレスに対応するサービスユーザ認証情報を検索する参照情報検索手段と、
アップロードフォルダに新たに蓄積されたデータのパケットを、サービスサーバにおけるサービスユーザ認証情報に対応するアップロードディレクトリに向けて送信するデータアップロード手段と
を有し、通信メディアカードからユーザによって入力されたサービス認証情報を受信することなく、通信メディアカードのメモリ機能に蓄積されたデータと、サービスサーバのアップロードディレクトリに蓄積されるデータとを同期させることを特徴とする。
【００１９】
本発明によれば、
前述の中継サーバと、
中継サーバと広域無線通信網を介して通信する情報機器の通信メディアカードと、
中継サーバとインターネットを介して通信するサービスサーバと
を有するサービスアクセスシステムであって、
広域通信網は、ＷｉＭＡＸ網又はＬＴＥ網からなり、
通信メディアカードは、情報機器に対して挿脱可能なＳＤカードであって、固有の物理アドレスとしてのＭＡＣアドレスを有し、
情報機器は、カメラであり、
サービスサーバは、オンラインフォトサービスサーバである
ことを特徴とする。
【００２０】
本発明によれば、ユーザによって操作可能な情報機器に挿入されるものであって、データを記憶するメモリ機能と共に、広域無線通信網に接続する通信機能とを有する通信メディアカードと、
インターネットに接続するサービスサーバと
の間で、データを中継するべく蓄積する中継サーバであって、
通信メディアカードにおける広域無線通信網で用いられる物理アドレスと、広域無線通信網における契約ユーザ識別子と、インターネットで用いられるＩＰアドレスと、サービスサーバにおけるサービスユーザ識別子を含むサービスユーザ認証情報とを対応付けて記憶した参照情報記憶手段と、
物理アドレス毎に対応するダウンロードフォルダと、
サービスサーバから、サービスユーザ識別子を含むパケットを受信した際に、参照情報記憶手段を用いて、パケットに含まれるサービスユーザ識別子に対応する物理アドレスを検索し、当該物理アドレスに対応するダウンロードフォルダにデータを新たに蓄積すると共に、物理アドレスに対応するＩＰアドレスを検索する参照情報検索手段と、
物理アドレスに対応するＩＰアドレスを宛先として含むネットワーク設定通知を、通信メディアカードへ向けて送信するネットワーク設定手段と、
ダウンロードフォルダに新たに蓄積されたデータのパケットを、ＩＰアドレスを宛先として、通信メディアカードへ向けて送信するデータダウンロード手段と
を有し、通信メディアカードからユーザによって入力されたサービス認証情報を受信することなく、サービスサーバのダウンロードディレクトリに蓄積されたデータと、通信メディアカードのメモリ機能に蓄積されるデータとを同期させることを特徴とする。
【００２１】
本発明によれば、
前述の中継サーバと、
中継サーバと広域無線通信網を介して通信する情報機器の通信メディアカードと、
中継サーバとインターネットを介して通信するサービスサーバと
を有するサービスアクセスシステムであって、
広域通信網は、ＷｉＭＡＸ網又はＬＴＥ網からなり、
通信メディアカードは、情報機器に対して挿脱可能なＳＤカードであって、固有の物理アドレスとしてのＭＡＣアドレスを有し、
情報機器は、フォトフレームであり、
サービスサーバは、オンラインフォトサービスサーバであることも好ましい。
【００２２】
本発明のサービスアクセスシステムにおける他の実施形態によれば、
参照情報記憶手段の参照情報は、各物理アドレスに対応付けて、通信メディアカードのメモリ機能の空き容量と、中継サーバのフォルダの空き容量とに関するステータス情報を更に含み、
中継サーバは、ステータス情報によって、受信したデータをダウンロードフォルダに蓄積できないか又は通信メディアカードへ転送できないと判定した際に、ステータス情報を含む応答メッセージをサービスサーバへ返信することも好ましい。
【発明の効果】
【００２７】
本発明のサービスアクセス方法、中継サーバ、通信メディアカード及びシステムによれば、情報機器に挿入された通信メディアカードが、広域無線通信網及びインターネットを介してサービスサーバにアクセスする際に、認証処理の負荷を軽減することができる。
【図面の簡単な説明】
【００２８】
【図１】従来技術におけるシステム構成図である。
【図２】本発明におけるシステム構成図である。
【図３】本発明の中継サーバにおけるアドレス及び認証情報の対応関係を表す説明図である。
【図４】本発明におけるデータのアップロードを表すシーケンス図である。
【図５】本発明におけるデータのダウンロードを表すシーケンス図である。
【図６】アドレスと認証情報とを対応付ける第１のシーケンス図である。
【図７】アドレスと認証情報とを対応付ける第２のシーケンス図である。
【図８】本発明における中継サーバの機能構成図である。
【発明を実施するための形態】
【００２９】
以下、本発明の実施の形態について、図面を用いて詳細に説明する。
【００３０】
図２は、本発明におけるシステム構成図である。
【００３１】
図２のシステムによれば、情報機器３に挿入された通信メディアカード２は、中継サーバ１を介して、サービスサーバ４にアクセスする。通信メディアカード２と中継サーバ１との間は、広域無線通信網を介して接続され、中継サーバ１とサービスサーバ４との間は、インターネットを介して接続されている。
【００３２】
図２によれば、ユーザ操作可能な情報機器３に、通信メディアカード２が挿脱可能である。情報機器３としては、例えばデジタルカメラやデジタルフォトフレームがある。通信メディアカード２は、汎用メモリカードと同様の形状及びインタフェースを有し、例えばＳＤ(Secure Digital memory)カードであってもよい。勿論、それに限定されることなく、メモリースティック、マルチメディアカード、コンパクトフラッシュ（登録商標）カード、ＵＳＢ(Universal Serial Bus)メモリの形態であってもよい。
【００３３】
図２によれば、通信メディアカード２は、データを記憶するメモリ機能と共に、広域無線通信網に接続する通信機能を有する。広域無線通信網は、無線ブロードバンド通信サービス網であって、例えば、ＷｉＭＡＸ(Worldwide Interoperability for Microwave Access)網又は携帯電話通信網であってもよい。携帯電話通信網としては、ＣＤＭＡ２０００及びＷ−ＣＤＭＡに限られず、ＬＴＥ(Long Term Evolution)（3GPPにおけるE-UTRA (Evolved Universal Terrestrial Radio Access) /E-UTRAN (Evolved Universal Terrestrial Radio Access Network)）であってもよい。
【００３４】
図２によれば、中継サーバ１は、広域無線通信網とインターネットとの間でデータを中継するために蓄積する。このシステムは、「デジタルフォトネットワーク中継ソリューション」にも適用できる。
【００３５】
インターネットに接続されたサービスサーバ４は、例えばオンラインフォトサービスサーバであってもよい。例えば、情報機器３がデジタルカメラである場合、それによって撮影された写真画像データは、通信メディアカード２からＷｉＭＡＸ網及びインターネットを介して、オンラインフォトサービスサーバ４へ送信される。この場合、デジタルカメラは、無線ＬＡＮのようなアクセスポイントと通信可能な位置に限られず、いずれの場所からも、オンラインフォトサービスサーバへ、写真画像データをアップロードすることができる。
【００３６】
逆に、情報機器３がデジタルフォトフレームである場合、オンラインフォトサービスサーバ４に蓄積された写真画像データが、インターネット及びＷｉＭＡＸ網を介して、デジタルフォトフレームへプッシュ的に送信される。即ち、デジタルフォトフレームから、ユーザ操作に基づいてオンラインフォトサービスサーバへアクセスする必要がない。これによって、デジタルカメラの通信メディアカードに蓄積された写真画像データと、デジタルフォトフレームの通信メディアカードに蓄積された写真画像データとを同期させることができる。
【００３７】
図３は、本発明の中継サーバにおけるアドレス及び認証情報の対応関係を表す説明図である。
【００３８】
中継サーバ１は、参照情報記憶部を有する。参照情報記憶部は、以下の４つの情報を対応付けて記憶する。
（１）通信メディアカードの「ＭＡＣアドレス（ＩＰアドレス）」
（２）広域無線通信網（ＷｉＭＡＸ網）の「契約ユーザＩＤ（識別子）」
（３）情報機器を操作するユーザの「端末ユーザ認証情報」（ＩＤ及びパスワード）
（４）サービスサーバにおける「サービスユーザ認証情報」（ＩＤ及びパスワード）
【００３９】
【表１】
0004702964.tif 000002
【００４０】
（１）通信メディアカードの「ＭＡＣアドレス（ＩＰアドレス）」
通信メディアカード２は、ＭＡＣ(Media Access Control)アドレスを有する。ＭＡＣアドレスは、ネットワーク上で、ノードを識別するためＬＡＮカードのようなハードウェアに（原則として）一意に割り当てられている固有の物理アドレスである。これは、ＯＳＩ参照モデルにおける第２層（データリンク層）のアドレスに相当する。通信メディアカード２は、例えばＷｉＭＡＸ網に対する通信プロトコル処理機能を有し、ネットワーク設定シーケンスによって、ＭＡＣアドレスに対するＩＰアドレスが一意に割り当てられる。
【００４１】
（２）広域無線通信網（ＷｉＭＡＸ網）の「契約ユーザＩＤ」
契約ユーザＩＤは、例えばＷｉＭＡＸ網の通信事業者によって任意に設定されたものである。通信事業者網内における運用管理のためのＩＤである。
【００４２】
（３）情報機器を操作するユーザの「端末ユーザ認証情報」（ＩＤ及びパスワード）
例えばＷｉＭＡＸ網に対する契約時に、ユーザが任意に設定したものである。一般に、ＩＤ及びパスワードからなり、通信事業者網内でユーザを特定するための認証情報である。
【００４３】
（４）サービスサーバにおける「サービスユーザ認証情報」（ＩＤ及びパスワード）
サービスサーバに対する契約時に、ユーザが任意に設定したものである。一般に、ＩＤ及びパスワードからなり、サービスを提供可能なユーザを特定するための認証情報である。
【００４４】
ここで、本発明によれば、中継サーバ１の参照情報記憶部は、少なくとも以下の２つの対応関係を備えていればよい。
（１）通信メディアカードの「ＭＡＣアドレス（ＩＰアドレス）」
（４）サービスサーバにおける「サービスユーザ認証情報」（ＩＤ及びパスワード）
【００４５】
また、中継サーバ１は、端末ユーザ認証情報に対応して、物理アドレス毎にアップロードフォルダ及びダウンロードフォルダを有する。図３によれば、デジタルカメラに挿入された通信メディアカードのＭＡＣアドレスに対応して、アップロードフォルダ#1及びダウンロードフォルダ#1が設定されている。また、デジタルフォトフレームに挿入された通信メディアカードのＭＡＣアドレスに対応して、アップロードフォルダ#2及びダウンロードフォルダ#2が設定されている。
【００４６】
これに対し、サービスサーバ４は、サービスユーザ認証情報に対応して、中継サーバ１のフォルダ毎に対応するアップロードディレクトリ及びダウンロードディレクトリを有する。図３によれば、中継サーバ１のアップロードフォルダ#1に対応して、アップロードディレクトリ#1が設定され、中継サーバ１のダウンロードフォルダ#1に対応して、ダウンロードディレクトリ#1が設定されている。また、中継サーバ１のアップロードフォルダ#2に対応して、アップロードディレクトリ#2が設定され、中継サーバ１のダウンロードフォルダ#2に対応して、ダウンロードディレクトリ#2が設定されている。
【００４７】
【表２】
0004702964.tif 000003
【００４８】
本発明によれば、中継サーバ１のフォルダと、サービスサーバ４のディレクトリとは、データファイルが同期するように動作する。従って、中継サーバ１のフォルダ内のデータファイルが、サービスサーバ４のディレクトリへ転送される際に、サービスユーザ認証情報が自動的に用いられる。
【００４９】
尚、参照情報記憶部は、各項目に対応付けて「ステータス情報」が記録されていることも好ましい。例えば、以下のように対応付けられる。
【表３】
0004702964.tif 000004
【００５０】
図４は、本発明におけるデータのアップロードを表すシーケンス図である。
【００５１】
（Ｓ４０１）デジタルカメラ（情報機器）によって撮影された写真画像データは、通信メディアカード２へ転送される。通信メディアカード２は、メモリ機能に、その写真画像データを記憶する。
（Ｓ４０２）最初に、通信メディアカード２は、中継サーバ１へ、ネットワーク設定要求を送信する。ネットワーク設定要求には、通信メディアカード２のＭＡＣアドレスが含まれる。
（Ｓ４０３）中継サーバ１は、ネットワーク設定要求を受信した際に、そのＭＡＣアドレスが、既に登録されたものであるか否かの認証処理を実行する。具体的には、参照情報記憶部に、ＭＡＣアドレスが登録されているか否かを判定する。
（Ｓ４０４）ＭＡＣアドレスが既に登録されている場合、中継サーバ１は、ネットワーク設定応答を、通信メディアカード２へ返信する。ここで、ネットワーク設定応答に、そのＭＡＣアドレスに対応したＩＰアドレスが含められるものであってもよい。例えば、中継サーバ１が、ＤＨＣＰ(Dynamic Host Configuration Protocol)サーバ機能を備えていてもよい。
（Ｓ４０５）通信メディアカード２は、ユーザ操作に応じて又は自動的に、メモリ機能に記憶された写真画像データを、サービスサーバ４へ向けて送信する。ここで、データパケットには、割り当てられたＩＰアドレスを送信元アドレスとして含む。
（Ｓ４０６）中継サーバ１は、参照情報記憶部を用いて、受信したデータの送信元となる物理アドレスに対応するサービスユーザ認証情報を検索する。
（Ｓ４０７）中継サーバ１は、受信した写真画像データを、検索された端末ユーザ認証情報に対応するアップロードフォルダに蓄積する。
（Ｓ４０８）中継サーバ１は、アップロードフォルダに蓄積された写真画像データを、サービスユーザ認証情報を用いて、例えばオンラインフォトサービスのサービスサーバ４へ送信する。
（Ｓ４０９）サービスサーバ４は、受信した写真画像データを、サービスユーザ認証情報に対応するアップロードディレクトリに蓄積する。
【００５２】
図５は、本発明におけるデータのダウンロードを表すシーケンス図である。
【００５３】
（Ｓ５０１）例えばオンラインフォトサービスのサービスサーバ４におけるダウンロードディレクトリ#1に、写真画像データが蓄積されたとする。この写真画像データは、デジタルカメラからアップロードされたものであってもよいし、他の汎用端末からアップロードされたものであってもよい。
（Ｓ５０２）このとき、サービスサーバ４は、そのデータを、当該ダウンロードディレクトリに対応する中継サーバ１のダウンロードフォルダに向けて、サービスユーザ識別子を用いて送信する。ここで、中継サーバ１は、参照情報記憶部に基づいて、例えば空き容量が不足することによってその写真画像データを受信できない場合、ステータス情報を含む応答メッセージを、サービスサーバ４へ返信する。サービスサーバ４は、中継サーバ１のフォルダにおけるステータス情報を認識することによって、その後の振る舞いを変更することもできる。
（Ｓ５０３）中継サーバ１は、参照情報記憶部を用いて、サービスユーザ認証情報に対応するダウンロードフォルダ#1を検索し、それに対応する物理アドレスを検索する。
（Ｓ５０４）中継サーバ１は、受信した写真画像データを、そのダウンロードフォルダ#1に蓄積する。
（Ｓ５０５）中継サーバ１は、ネットワーク設定通知をプッシュ的（例えばプッシュアクセスプロトコルを用いて）に、通信メディアカード２へ送信する。これによって、通信メディアカード２には、ＩＰアドレスが割り当てられる。
（Ｓ５０６）中継サーバ１は、ダウンロードフォルダ#1に蓄積された写真画像データを、ＭＡＣアドレスに対応する通信メディアカード２へ送信する。
（Ｓ５０７）通信メディアカード２は、受信した写真画像データを、デジタルフォトフレーム（情報機器）３へ出力する。これによって、デジタルフォトフレーム３は、その写真画像データを再生し且つ表示する。
【００５４】
図６及び図７は、広域無線通信網サービス又はオンラインフォトサービスのいずれか一方に既に登録されているユーザは、他方のサービスに容易に登録することができるシーケンスを表す。
【００５５】
図６は、アドレスと認証情報とを対応付ける第１のシーケンス図である。
【００５６】
図６によれば、ユーザは、サービスサーバ４に既に登録しており、サービスユーザ認証情報（ＩＤ及びパスワード）を認識しているとする。但し、ユーザは、広域無線通信網（例えばＷｉＭＡＸ網）には登録していない。
【００５７】
（Ｓ６０１）ユーザは、汎用端末５を用いて、サービスサーバ４へアクセスし、ログインページを取得する。そして、そのログインページに、サービスユーザ認証情報を入力する。サービスサーバ４は、認証処理を実行し、正当なユーザ認証情報であると判定した際に、ユーザページを汎用端末へ応答する。
（Ｓ６０２）ユーザは、汎用端末５を用いて、サービスサーバ４に対して、ＷｉＭＡＸ網への登録要求を送信する。
（Ｓ６０３）サービスサーバ４は、ＷｉＭＡＸ網の通信事業者用登録サイト６へ、そのユーザのサービスユーザ認証情報を送信する。
（Ｓ６０４）ＷｉＭＡＸ網の通信事業者用登録サイト６は、そのサービスユーザ認証情報に対して、契約ユーザＩＤを任意に生成する。
（Ｓ６０５）次に、ＷｉＭＡＸ網の通信事業者用登録サイト６は、その契約ユーザＩＤに対して、端末ユーザ認証情報を生成する。端末ユーザ認証情報は、ユーザ操作に基づく汎用端末との間で、ユーザによって設定される。
（Ｓ６０６）更に、ＷｉＭＡＸ網の通信事業者用登録サイト６は、その契約ユーザＩＤに対して、アップロードフォルダ及びダウンロードフォルダを設定する。
（Ｓ６０７）そして、ＷｉＭＡＸ網の通信事業者用登録サイト６は、生成したフォルダ情報を、サービスサーバ４へ送信する。
（Ｓ６０８）サービスサーバ４は、そのフォルダ情報に対応付けて、データベースに、アップロードディレクトリ及びダウンロードディレクトリを生成する。
（Ｓ６０９）サービスサーバ４は、登録完了を、ユーザ操作に基づく汎用端末５へ送信する。
【００５８】
図７は、アドレスと認証情報とを対応付ける第２のシーケンス図である。
【００５９】
図７によれば、ユーザは、広域無線通信網（例えばＷｉＭＡＸ網）に既に登録しており、端末ユーザ認証情報（ＩＤ及びパスワード）を認識しているとする。但し、ユーザは、サービスサーバ４には登録していない。
【００６０】
（Ｓ７０１）ユーザは、汎用端末を用いて、ＷｉＭＡＸ網の通信事業者用登録サイト６へアクセスし、ログインページを取得する。そして、そのログインページに、端末ユーザ認証情報を入力する。通信事業者用登録サイト６は、認証処理を実行し、正当なユーザ認証情報であると判定した際に、ユーザページを汎用端末５へ応答する。
（Ｓ７０２）ユーザは、汎用端末５を用いて、通信事業者用登録サイト６に対して、サービスサーバ４への登録要求を送信する。
（Ｓ７０３）通信事業者用登録サイト６は、サービスサーバ４へ、そのユーザの登録要求を送信する。
（Ｓ７０４）サービスサーバ４は、サービスユーザ認証情報を生成する。サービスユーザ認証情報は、ユーザ操作に基づく汎用端末５との間で、ユーザによって設定される。
（Ｓ７０５）更に、サービスサーバ４は、そのサービスユーザ認証情報に対して、アップロードフォルダ及びダウンロードフォルダを設定する。
（Ｓ７０６）そして、サービスサーバ４は、ユーザサービス認証情報を、通信事業者用登録サイト６へ送信する。
（Ｓ７０７）通信事業者用登録サイト６は、そのサービスユーザ認証情報を、端末ユーザ認証情報に対応付けると共に、アップロードフォルダ及びダウンロードフォルダを生成する。
（Ｓ７０８）通信事業者用登録サイト６は、生成したフォルダ情報を、サービスサーバ４へ送信する。
（Ｓ７０９）通信事業者用登録サイト６は、登録完了を、ユーザ操作に基づく汎用端末５へ送信する。
【００６１】
図８は、本発明における中継サーバの機能構成図である。
【００６２】
図８によれば、中継サーバ１は、通信インタフェース部１０と、ネットワーク設定部１１と、参照情報記憶部１２と、参照情報検索部１３と、フォルダ蓄積部１４と、データアップロード部１５と、データダウンロード部１６とを有する。通信インタフェース部を除くこれら機能構成部は、サーバに搭載されたコンピュータを機能させるプログラムを実行することによって実現される。
【００６３】
ネットワーク設定部１１は、通信メディアカードから、物理アドレスを含むネットワーク設定要求を受信し且つ応答する。
【００６４】
参照情報記憶部１２は、広域無線通信網に対する通信メディアカードの物理アドレスと、サービスサーバにおけるサービスユーザ認証情報とを対応付けて記憶する。記憶される参照情報は、１つ以上の物理アドレスと、広域無線通信網における１つの契約ユーザ識別子と、広域無線通信網における１つの端末ユーザ認証情報と、サービスサーバにおける１つのサービスユーザ認証情報とを対応付けたものであることも好ましい。契約ユーザ識別子及び端末ユーザ認証情報は、広域無線通信網サービスの提供についてユーザへの割り当てが必要となる情報である。また、参照情報には、更に、ステータス情報が含まれることも好ましい。
【００６５】
参照情報検索部１３は、通信メディアカードからデータを受信した際に、参照情報記憶部を用いて、データの送信元となる物理アドレスに対応するサービスユーザ認証情報を検索する。
【００６６】
フォルダ蓄積部１４は、端末ユーザ認証情報に対応して、物理アドレス毎にアップロードフォルダ及びダウンロードフォルダを有する。各フォルダは、サービスサーバ４の各ディレクトリに対応し、データが互いに同期される。
【００６７】
データアップロード部１５は、通信メディアカード２から受信したデータを、対応するアップロードフォルダに蓄積する。また、アップロードフォルダに蓄積されたデータを、サービスユーザ認証情報を用いてサービスサーバ４へ送信する。
【００６８】
データダウンロード部１６は、サービスサーバ４から受信したデータを、対応するダウンロードフォルダに蓄積する。また、ダウンロードフォルダに蓄積されたデータを、そのダウンロードフォルダに対応する物理アドレスを有する通信メディアカードへ向けて送信する。
【００６９】
以上、詳細に説明したように、本発明のサービスアクセス方法、中継サーバ、通信メディアカード及びシステムによれば、情報機器に挿入された通信メディアカードが、広域無線通信網及びインターネットを介してサービスサーバにアクセスする際に、認証処理の負荷を軽減することができる。
【００７０】
本発明によれば、端末のＭＡＣアドレス（ＩＰアドレス）と、広域無線通信網の契約ユーザＩＤ及び端末ユーザ認証情報と、サービスサーバのサービスユーザ認証情報とを紐付けすることによって、ユーザから見ると、広域無線通信網又はサービスサーバのいずれか一方の認証処理を実行することによって、他方の認証処理を不要とすることができる。
【００７１】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７２】
１  中継サーバ
１０  通信インタフェース部
１１  ネットワーク設定部
１２  参照情報記憶部
１３  参照情報検索部
１４  フォルダ蓄積部
１５  データアップロード部
１６  データダウンロード部
２  通信メディアカード
３  情報機器
４  サービスサーバ
５  汎用端末
６  通信事業者用登録サイト
【要約】
【課題】情報機器に挿入された通信メディアカードが、広域無線通信網及びインターネットを介してサービスサーバにアクセスする際に、認証処理の負荷を軽減することができるサービスアクセス方法等を提供する。
【解決手段】中継サーバは、広域無線通信網に対する通信メディアカードの物理アドレスと、サービスサーバにおけるサービスユーザ認証情報とを対応付けて記憶した参照情報記憶部を有する。通信メディアカードが、物理アドレスを含むネットワーク設定要求を、中継サーバへ送信する。次に、情報機器の通信メディアカードが、データを、中継サーバへ送信する。次に、中継サーバが、参照情報記憶部を用いて、受信したデータの送信元となる物理アドレスに対応するサービスユーザ認証情報を検索する。そして、中継サーバが、データを、サービスユーザ認証情報を用いてサービスサーバへ送信する。
【選択図】図２【図１】
0004702964.tif 000005
【図２】
0004702964.tif 000006
【図３】
0004702964.tif 000007
【図４】
0004702964.tif 000008
【図５】
0004702964.tif 000009
【図６】
0004702964.tif 000010
【図７】
0004702964.tif 000011
【図８】
0004702964.tif 000012